(57)【要約】【課題】液体を収容した容器の蓋体が幼児等の悪戯により不用意に開蓋することはないが、大人には簡単に開蓋することができて、構造が簡単で、安価に製造可能な安全蓋体と液体容器を提供する。【解決手段】内部に溶液を収容可能に形成した中空容器の肩部に連接する円筒状の口頸部１ａの外周面に、蓋体を螺着する螺合ネジ部４と、複数のラチェット歯３と、ネックリング２とを設けてなる容器本体１を形成して、また、前記容器本体の口頸部１ａに螺合するネジ部７と、前記ラチェット歯に係止する係合突起６とを内周面に設けた円筒壁部５ａが押圧変形可能な安全蓋体５を形成して、前記容器本体１の口頸部１ａに前記蓋体５を被着して螺合せしめて、前記蓋体の係合突起６が前記ラチェット歯３に係止して容器本体の開口部を蓋体により密閉して、蓋体が開蓋方向に回動不能に形成されてなる液体容器を構成する。【選択図】        図１
2004149197.tif 000002
【特許請求の範囲】
【請求項１】
内部に溶液を収容する中空容器の肩部に連接した円筒状の口頸部に螺着可能に形成した蓋体であって、蓋体の天板部側の内周面に口頸部の螺合ネジ山に螺合するネジ部を設けると共に、蓋体の開口端側の内周面に口頸部のラチェット歯に係止する係合突起を設けた蓋体を、熱可塑性合成樹脂の射出成形により押圧変形可能に形成してなることを特徴とする安全蓋体。
【請求項２】
内部に溶液を収容する中空容器の肩部に連接した円筒状の口頸部に螺着可能に形成した蓋体であって、蓋体の天板部側の内面に口頸部の螺合ネジ山に螺合するネジ部を設けると共に、蓋体の開口端側の内面に口頸部の係合突起に係止する複数のラチェット歯を設けた蓋体を、熱可塑性合成樹脂の射出成形により押圧変形可能に形成してなることを特徴とする安全蓋体。
【請求項３】
前記蓋体は、容器本体の口頸部の螺合ネジ山に螺合するネジ部を設けた部分が小径に形成されると共に、口頸部のラチェット歯または係合突起に係止する係合突起またはラチェット歯を設けた部分が大径に形成されてなることを特徴とする請求項１または請求項２に記載する安全蓋体。
【請求項４】
前記蓋体は、小径の筒状部分を最小の計量容積単位する計量目盛りが大径の筒状部分に設けられて、計量を容易にした蓋体に形成されてなることを特徴とする請求項３に記載する安全蓋体。
【請求項５】
内部に溶液を収容可能に形成した中空容器の肩部に連接する円筒状の口頸部の外周面に、蓋体を螺着する螺合ネジ部と、複数のラチェット歯と、ネックリングとを形成してなる容器本体に、前記口頸部に螺合するネジ部と、前記ラチェット歯に係止する係合突起とを内周面に設けて、押圧変形可能に形成した蓋体を被着して螺合せしめて、前記蓋体の係合突起を前記ラチェット歯に係止せしめて、蓋体が開蓋方向に回動不能に形成されてなることを特徴とする安全蓋体を装着した液体容器。
【請求項６】
内部に溶液を収容可能に形成した中空容器の肩部に連接する円筒状の口頸部の外周面に、蓋体を螺着する螺合ネジ部と、係合突起と、ネックリングとを形成してなる容器本体に、前記口頸部に螺合するネジ部と、前記係合突起に係止する複数のラチェット歯を内周面に設けて、押圧変形可能に形成した蓋体を被着して螺合せしめて、前記蓋体の係合突起を前記ラチェット歯に係止せしめて、蓋体が開蓋方向に回動不能に形成されてなることを特徴とする安全蓋体を装着した液体容器。
【発明の詳細な説明】
【０００１】
【発明の属する技術分野】
本願の発明は、内部に薬液や消毒液等の溶液が収容された中空容器の口頸部に螺着して、容器の開口部を密閉するのに適した蓋体と、該蓋体を装着した液体容器に係わるものであり、更に詳細には、乳幼児にとっては有害となる各種の薬液等の溶液を収容した中空容器、あるいは、強烈な刺激臭や悪臭その他の有害な溶液が収容された中空容器の口頸部に螺着して、幼児が悪戯して蓋部を回しても簡単には開口されないように、あるいは、不用意に開放されて排出されることがないように密閉することができる安全蓋体と、該蓋体を装着した液体容器に関するものである。
【０００２】
【従来の技術】
従来から用いられている液体を収容した中空容器の開口部を密閉するのには、押し込みによる密閉栓、または、回動螺合によるネジ蓋が一般に広く使用されてきたが、最近は、簡単に密封することができて、容易に開閉できるネジ蓋が多用されるようになった。
ネジ蓋を用いた容器は、蓋部を掴んで回すだけで、誰にでも簡単に開封することができて、非常に便利ではあるが、その反面では、乳幼児が容器に触れて、蓋部を手や口でもてあそんでいるうちに、ネジ蓋が外れてしまうことがあって非常に危険であり、また、実際に外れた蓋や漏れ出た内容物を口にする事故も多発している。
【０００３】
このようなネジ蓋についての問題点をなくすために色々な安全蓋を用いたものがあり、例えば、内蓋の栓体を容器の口頸部内に押し込んで密閉した上からネジ蓋からなる外蓋を口頸部に螺着する二重構造にした安全な蓋体を装着して、外蓋を回して外しただけでは内容液を注出できないもの、あるいは、容器の口頸部に螺合した内蓋の上に外蓋を被せて密閉する二重構造をした安全なネジ蓋を装着して、外蓋を押しながら回動させたり、あるいは、ピン等の係合手段を係合して回すことにより内蓋が一緒に回転して開封できるようにしたもの、その他の簡単には開口することができない形式の蓋体が従来から知られており、また、特開平９−１０４４５３号や特開２０００−３３５６１０号、特開２００１−７２０９８号公報その他に各種の安全蓋についての提案がなされている。
【０００４】
このような従来の安全な蓋体を用いた容器は、幼児の悪戯による開封は防止できるが、しかし、一般の人が開口するのにも面倒で、使用するに際して不便であるばかりか、通常の蓋体に比べて構造が非常に複雑で、製造コストが割高になることから、一般にはあまり普及することがなかった。
そこで、上記したような従来の安全蓋に比べて開口操作を容易に行うことができて、また、蓋体の構造が簡単で安価に製造することができるようにした二重構造の安全蓋体が、特開平１１−２７８５０７号や特開２００１−３４１７６０号公報その他に提案されている。
【０００５】
上記した二重構造の安全蓋体は、例えば図１１に示すように、容器本体２１の口頸部２１ａに螺合されるキャップ本体２２と、キャップ本体２２の外周を囲む円筒形の外装体２３とで構成された安全キャップ２４で、キャップ本体２２の外周面と外装体２３の内周面には、外装体２３を押圧することにより相互に噛み合う縦縞のギザギザ状の凹凸２２ａ，２３ａが形成されていて、キャップ本体２２の外周面と外装体２３の内周面との間には、図１２、図１３に示すように、僅かの隙間が形成されている。
キャップ本体２２の外周面の下端部には、僅かに外側へ張り出した鍔部２２ｂを有し、該鍔部２２ｂの上縁には鋸歯状の溝２２ｃが多数周設されていて、また、前記外装体２３の内周面の下方には、鋸歯状の突起２３ｂが多数周設されていて、鋸歯状の溝２２ｃと鋸歯状の突起２３ｂは噛み合ってラチェット機構として作用するようになっている。
【０００６】
上記のような構成にした安全キャップ２４を装着した液体容器は、前記容器本体の開口部を密閉する際には、口頸部２１ａに対して前記外装体２３を蓋が閉じる方向へ捻じると、外装体２３の鋸歯状の突起２３ｂがキャップ本体２２の鋸歯状の溝２２ｃに係合してラチェット機構が働くので、前記キャップ本体２２は外装体２３と一体になって回転しながら容器の開口部を密閉する。
一方、口頸部２１ａに対して蓋を開く方向へ外装体２３を単に捻じると、外装体２３はキャップ本体２２の鋸歯状突起２２ｂの斜面に乗り上げて、ラチェット機構が非係合状態になって外装体２３が空回りして、前記キャップ本体２２が回転することがないので、容器の開口部が開くことがない。
そこで、蓋体を開くには、図１４に示すように、蓋体を掴んだ指先に力を加えて外装体２３が楕円形になるように押し潰した状態にすると、キャップ本体２２の外周面と外装体２３の内周面との凹凸２２ａ，２３ａが噛み合ってキャップ本体２２は外装体２３と一体になって回転するので、容器の開口部を密閉していた蓋体を開くことができる。
【０００７】
上記した安全蓋体は、外蓋である外装体を単に回転させようとしても、容器の開口部が開くように開蓋することができないので、乳幼児の悪戯や誤飲等を防止することができて、また、普通の人にとっては、外装体を指先で潰すようにして回すことにより簡単に開蓋することができて便利である。
しかし、上記した従来の安全蓋体は、ネジ蓋本体を形成するのに、二つ、または、三つ、あるいは、それ以上の部材を組み合わせてなる複数の部材で構成されるものであるから、蓋体の構造が複雑で手間がかかるので、その製造コストを引き下げることが困難な点がある。
【０００８】
【発明が解決しようとする課題】
本願の発明は、各種の溶液が収容された中空容器の開口部を密閉する蓋体を、幼児等による悪戯によっては簡単に開かないような構造にすることにより、幼児に対する危険性をなくすことができて、また、不用意には開口するようなことはないが、一般の大人にとっては開口操作が容易で、簡単に開口できるような構造にして、液体容器を密閉するための安全な蓋体を形成する。
そして、前記蓋体は、その構造をできるだけ簡単にするために、一つの部材で形成して、それを合成樹脂の射出成形等により簡単に成形できるような形状、構造となしして、液体容器を密閉するのに適した安全な蓋体を安価に製造すると共に、前記安全な蓋体を装着した液体容器を提供することを目的とする。
【０００９】
【課題が解決するための手段】
上記の課題を達成するために、ブロー成形により内部に溶液を収容可能に成形した中空容器の肩部に連接する円筒状の口頸部の外周面に、ネックリングを設けた上部に蓋体と係合する複数のラチェット歯を設けると共に、開口部を密閉する蓋体を螺着する螺合ネジ部を設けてなる容器本体を形成する。
また、前記容器本体の円筒状の口頸部に螺着可能な蓋体を形成して、前記蓋体の天板部側の内面には口頸部の螺合ネジ山に螺合するネジ部を設けると共に、蓋体の開口端側の内面に口頸部のラチェット歯に係止する係合突起を設けて、前記係合突起を設けた円筒壁部分を押圧変形可能に形成した蓋体を、熱可塑性合成樹脂の射出成形により成形した安全蓋体を形成する。
そして、内溶液が収容された前記ラチェット歯を設けた容器本体の口頸部に前記安全蓋体を螺着して、蓋体の円筒壁部分を押圧変形が可能に密閉された液体容器を構成する。
【００１０】
【発明の実施の形態】
熱可塑性合成樹脂をブロー成形して、内部に溶液を収容可能な中空容器を形成すると共に、容器本体の円筒状をした口頸部の外周面に、ネックリングと複数のラチェット歯と蓋体を螺着する螺合ネジ部とを形成して、安全蓋体を螺着可能にした中空容器を形成する。
また、上記中空容器の円筒状の口頸部に螺着可能にした蓋体を、熱可塑性合成樹脂の射出成形により成形して、前記蓋体の天板部側の内周面に容器本体の口頸部に設けた螺合ネジ部に螺合するネジ部を設けると共に、蓋体の開口端側の内面に容器本体の口頸部に設けたラチェット歯に係止する係合突起を設けた蓋体に形成して、前記蓋体の係合突起を設けた円筒壁部分を押圧により楕円状に変形可能に形成して安全蓋体を形成する。
【００１１】
このように形成された安全蓋体を、内溶液が収容された前記中空容器本体の口頸部に被着して、前記蓋体を閉蓋方向に回転せしめることにより、前記蓋体の係合突起が口頸部のラチェット歯の斜面を乗り越えるように蓋体が回動して螺着して、安全蓋体が装着された液体容器を構成する。
上記のように構成された液体容器を開封して使用するには、前記蓋体の押圧変形可能な円筒壁部分に設けた押圧部を指先で押圧した状態にして、蓋体を開蓋方向に回動せしめると、前記蓋体の係合突起が口頸部のラチェット歯の係合端面から離れた状態になり、蓋体は自由に回動させるできて口頸部から螺脱して、容器は開口されて注出可能となり、内溶液は容器を傾けて注出して使用される。
【００１２】
【実施例】
以下に、本願発明の液体容器について、最適な一つの実施例に基づいて、図面を参照しつつ詳細に説明する。
本願発明に用いる中空容器は、熱可塑性合成樹脂のブロー成形により内部に各種の溶液が収容可能な中空の容器本体１に成形されて、図１に示したように、前記中空容器の肩部１ｂに連接した円筒状の口頸部１ａの外周面に、螺着する蓋体５の端部が当接するネックリング２と、蓋体５に設けた係合突起６が係合する複数のラチェット歯３と、蓋体のネジ部７が螺合する螺合ネジ４とが形成された容器本体１に成形される。
図１に示した容器本体１に於いては、前記螺合ネジ４を設けた口頸部１ａの筒状部には、連続する３つのラチェット歯３が対称な位置に設けられると共に、前記筒状部に内向きのフランジ部１ｃを介してやや小径の筒部が起立して形成されているが、これは計量容器として使用可能な蓋体５を用いる場合に、前記蓋体５の目盛りを見やすくすると同時に、溶液の計量が容易で、また、溶液の注出をし易い形状に形成したものであって、必ずしもこのように形成する必要はない。
【００１３】
また、熱可塑性合成樹脂を射出成形して、図１に示すように、前記容器本体１の口頸部１ａに螺着可能な円筒状の蓋体５を成形して、前記蓋体の内周面の対称な位置には、開口端部寄りに前記口頸部１ａのラチェット歯３に係止する係合突起６を二つ設けると共に、天板部５ｂ寄りに前記口頸部１ａの螺合ネジ部４に螺合するネジ部７を設けて、前記係合突起６を設けた円筒壁部５ａを押圧変形可能に成形して安全蓋体を形成する。
尚、上記蓋体５は、ネジ部７を設けた円筒部分が、係合突起６を設けた円筒壁部５ａに内向きのフランジ部５ｃを介してやや小径となるように形成されているが、これは蓋体５を計量容器として用いた場合に、底部の少量の溶液を計るのに目盛りを見易くするためであり、また、係合突起６は二つに限らず、一つまたは三つ以上設けてもよい。
【００１４】
そして、このように形成された安全蓋体を、各種の薬液、その他の液体が収容された中空容器に装着して液体容器を形成するには、容器本体１の口頸部１ａに蓋体５を被着してから、該蓋体５を矢印で示すように閉蓋方向へ回動せしめると、蓋体５のネジ部７が口頸部１ａの螺合ネジ４に螺合して前進するが、その際に図２に示したように、前記蓋体５の係合突起６は、口頸部１ａのラチェット歯３の斜面に乗り上げて滑るように移動するので、蓋体５は無理なく回転して口頸部１ａに螺着されて、開口部を密閉して液体容器が構成される。
これとは逆に、蓋体５を螺着して密閉された液体容器は、蓋体５が不用意に開蓋方向へ回動されても、蓋体５の係合突起６の端面が口頸部１ａのラチェット歯３の端面に係合して、回動不能になるように構成されている。
【００１５】
上記のように構成された液体容器の安全蓋体を開いて内溶液を注出して使用するには、図４に示すように、蓋体５を指先で掴んだまま指先に力を入れて、円筒壁部５ａの係合突起６が存在しない押圧部分５ｄを押圧すると、蓋体５の円筒壁部５ａは、図５に示すように外向きに楕円形状に変形するので、円筒壁部５ａの係合突起６が、図６に示したように、口頸部１ａのラチェット歯３から離れて、蓋体５が回動可能な状態になる。
そこで、蓋体５を開蓋方向に捻ると、蓋体５は容易に回動されて容器本体１の口頸部１ａから分離されて、容器は注出可能に開口する。
【００１６】
そして、本願発明の蓋体は、従来の複数の部材から形成された蓋体とは異なり、単一の部材により成形されているので、図７に示すように、計量カップとしても使用することができるので、上記のようにして開口された容器本体を傾けて口頸部から外した蓋体に内溶液を注ぐことにより、必要な量だけを注出して使用することができる。
その際に、本願発明の蓋体は、前記したようにネジ部７が設けられた円筒部分が、係合突起６を設けた円筒状部分よりも小径となるように形成されているので、小径部分の容量を最小単位とした目盛りを設けることができて、計量カップの底の部分に注がれる溶液の量を嵩だかにして計ることができるので、目盛りを見て計量するのが容易になり非常に便利である。
【００１７】
上記した実施例に於いては、蓋体５が不用意に開蓋されるのを阻止するためのラチェット歯３を、容器本体１の口頸部１ａに設けたが、本願の発明はこのようなものに限定されるものではない。
例えば、図９に示したように、容器本体１１の口頸部１ａに螺合する蓋体１５の円筒壁部１５ａの開口端部寄りの内周面にラチェット歯３を設けると共に、前記円筒壁部を押圧弾性変形が可能に形成して、そして、図８に示すように、前記蓋体１５のラチェット歯３に係合する係合突起６を、前記容器本体１１の口頸部１１ａに設けておいて、前記蓋体１５を容器本体１１の口頸部１１ａに螺着することも可能である。
【００１８】
上記のように形成した蓋体１５を、前記実施例の場合同様に、内溶液が収容された容器本体１１の口頸部１１ａに螺着すると、図１０に示したように、前記蓋体５のラチェット歯３が容器本体１の口頸部１ａの係合突起６に係合されて、蓋体５は開蓋方向へ回動不能に係止された液体容器が形成される。
このように形成された液体容器を使用するには、先の実施例と同じように、手に持った容器の蓋体１５の円筒壁部１５ａの押圧部１５ｄを指先で押圧すると、蓋体１５の円筒壁部１５ａが外向きに楕円形状に変形するので、円筒壁部１５ａの内面に設けたラチェット歯３が口頸部１１ａの係合突起６との係合が解かれて、蓋体１５は回動可能な状態になるので、液体容器は蓋体が口頸部から螺脱されて開口して注出可能になる。
【００１９】
上述したように、本願の発明は、容器の口頸部に螺着して開口部を密閉する安全蓋体を、合成樹脂の射出成形により一体成形した単一部材で形成することができるので、従来の安全蓋体に比べて、蓋体の構造が非常に簡単であり、組み立て工程が必要ないので、製造コストを低減することができて、安価な蓋体を成形することができる。
また、本願発明の蓋体は、蓋の内部にはネジ山と、係合突起またはラチェット歯が数条設けられただけであるから、蓋体を内容液の計量カップとして簡単に使用することができて、溶液の計量および注出が容易である。
【００２０】
【発明の効果】
本願発明の蓋体を用いた液体容器は、蓋体を単に開蓋方向へ回動させようとしても、蓋体に設けられた係合突起またはラチェット歯が、口頸部のラチェット歯または係合突起に係止して、蓋体が回動不能となるので、乳幼児の悪戯による開蓋や不用意な開封が発生するのを防止することができて、一般の人にとっては、蓋体の円筒壁部を押圧して回動させることにより、簡単に開蓋することがてきて便利である。
また、本願発明の蓋体は、一体成形の簡単な構造をしていて、射出成形等により簡単に成形することができるので、安全蓋体を安価に製造することができて、また、蓋体の内部に余分な部材がないので、蓋体を計量カップとして使用することが可能である。
【図面の簡単な説明】
【図１】本願発明の容器本体と安全な蓋体を示す斜視図である。
【図２】本願発明の蓋体を装着した液体容器を示す側面図（ｂ）と、その口頸部の断面図（ａ）である。
【図３】〔図２〕に示した液体容器の口頸部の断面図である。
【図４】〔図２〕に示した本願発明の液体容器を開蓋する側面図である。
【図５】〔図４〕に示した液体容器が開蓋される口頸部の縦断面図である。
【図６】本願発明の液体容器が開蓋される口頸部の横断面図である。
【図７】計量カップとして使用可能な本願発明の蓋体の縦断面図である。
【図８】本願発明の別の実施例の容器本体を示す斜視図である。
【図９】図８の容器本体に螺合可能な蓋体を示す斜視図である。
【図１０】図８に示す容器本体に図９示す蓋体を螺合した口頸部の横断面図である。
【図１１】本願発明の先行例の蓋体を示す分解図である。
【図１２】図１１に示す蓋体を螺合した口頸部の断面図である。
【図１３】図１２に示す蓋体の横断面である。
【図１４】図１２に示す蓋体の外装体を押圧変形させて蓋体を螺脱する状態を示す断面図である。
【符号の説明】
１．  容器本体
１ａ．口頸部
２．  ネックリング
３．  ラチェット歯
４．  螺合ネジ
５．  蓋体
５ａ．円筒壁部
５ｂ．天板部
５ｃ．フランジ部
５ｄ．押圧部
６．  係合突起
７．  ネジ部
【図１】
2004149197.tif 000003
【図２】
2004149197.tif 000004
【図３】
2004149197.tif 000005
【図４】
2004149197.tif 000006
【図５】
2004149197.tif 000007
【図６】
2004149197.tif 000008
【図７】
2004149197.tif 000009
【図８】
2004149197.tif 000010
【図９】
2004149197.tif 000011
【図１０】
2004149197.tif 000012
【図１１】
2004149197.tif 000013
【図１２】
2004149197.tif 000014
【図１３】
2004149197.tif 000015
【図１４】
2004149197.tif 000016